(57)【要約】【課題】部品数が少なく簡素、安価で、故障が少なく信頼性が高く、しかも、大きな騒音が発生することがなく、その上、作業効率よく製造することができる偏重心ディスクの振動抑制構造を組み込んだクランパを提供する。【解決手段】スピンドルモータによって回転するターンテーブルの上方に同軸状に回転自在に支持されるクランパ１Ａを、短円筒状のケース体１１Ａ内の底面中央部に上向きに中心軸１１Ａｅを形成し、１枚のバランサ板１３Ａの重心位置からずれた位置の挿通穴１１Ａに中心軸１１Ａｅを遊挿してバランサ板１３Ａをケース体１１Ａ内に収容し、ケース体１１Ａの上部開口をケースカバー１２によって封塞して形成する。【選択図】図２
2008084435.tif 000002
【特許請求の範囲】
【請求項１】
スピンドルモータによって回転するターンテーブルの上方に回転自在に支持され、前記ターンテーブルの上動に基づき、前記ターンテーブルとの磁気的な引力によって前記ターンテーブル上の光ディスクを挟んだ状態で前記ターンテーブルに密着し、前記光ディスクを前記ターンテーブルに押し付けて固定する光ディスク装置のクランパにおいて、短円筒状のケース体と、該ケース体内の底面中央部に上向きに形成された中心軸と、略円板状であって重心位置からずれた位置に挿通穴が形成され、該挿通孔に前記中心軸が遊挿されて前記ケース体内に収容された１枚のバランサ板と、前記ケース体の上部開口を封塞するケースカバーとを備えたことを特徴とするクランパ。
【請求項２】
前記ケース体は、前記ターンテーブルの磁性体との間で磁気的な引力が生じる略円板状のクランプ磁石を底部に収容した樹脂体で形成され、前記バランサ板は、非磁性体板であって前記クランプ磁石の上に重なるように収容されたことを特徴とする請求項１記載のクランパ。
【請求項３】
前記ケース体は、前記ターンテーブルの磁性体との間で磁気的な引力が生じる略円板状のクランプ磁石を底部に収容した樹脂体で形成され、前記バランサ板は、下面を前記クランプ磁石と反発する磁極面にした磁石板からなり、前記クランプ磁石の上に重なるように収容されたことを特徴とする請求項１記載のクランパ。
【請求項４】
前記ケース体は、前記ターンテーブルに設けたクランプ磁石との間で磁気的な引力が生じる磁性体で形成され、前記バランサ板は、非磁性体板で形成されることを特徴とする請求項１記載のクランパ。
【請求項５】
請求項１乃至４のいずれか１項に記載のクランパを備え、前記ケース体が装置筐体の天板部に回転自在に係止されることを特徴とする光ディスク装置。
【発明の詳細な説明】
【技術分野】
【０００１】
本発明は、回転するターンテーブル上の光ディスクをターンテーブルとの磁気的な作用で挟持して固定（チャッキング）する光ディスク装置のクランパ及び該クランパを備えた光ディスク装置に関し、詳しくは、偏重心ディスクの振動抑制構造に関する。
【背景技術】
【０００２】
一般に、ＤＶＤやＣＤ等の光ディスクのプレイヤ（再生装置）や、前記光ディスクを記録、再生するレコーダ（記録再生装置）は、光ディスク装置と呼ばれる。
【０００３】
そして、この種の光ディスク装置は、光ディスクをトレイに載置してローディング操作をすると、トレイによって装置筐体内に搬入された光ディスクがスピンドルモータによって高速回転するターンテーブルに載置される。
【０００４】
更に、再生・記録の機構動作によってターンテーブルが上動し、この上動によって持ち上げられた光ディスクの記録面（下面）に光ピックアップのレーザー光が照射されて光ディスクが再生又は記録される。
【０００５】
又、ターンテーブルの上方には、クランパが、その回転中心がターンテーブルの回転中心の軸線上に位置したターンテーブルと同軸の状態で上下動可能かつ回転自在に設けられる。
【０００６】
そして、多くの場合、ターンテーブルは中央部が鋼板等の磁性体からなり、クランパは樹脂製のケース体に磁石体（クランパ磁石）を収容して形成され、光ディスクを再生、記録するため、ターンテーブルが上動してクランパに接近すると、ターンテーブルとクランパとの間で生じる磁力（引力）によりクランパが光ディスクを挟んだ状態でターンテーブルに密着し、ターンテーブルとクランパが光ディスクを挟持する。このとき、クランパは光ディスクをターンテーブルからずれないようにターンテーブルに押し付けて固定（チャッキング）する。
【０００７】
ところで、この種のディスク装置によって再生又は記録される光ディスクが、センタ穴の中心と重心とがずれて重心の偏った偏重心ディスクであると、高速回転によって振動し、振動音（騒音）を発生することが知られている。
【０００８】
具体的には、偏重心ディスクはクランプ用のセンタ穴の中心と重心とがずれているので、ターンテーブルに載置されて回転すると、その回転周期で振動して振動音が発生し、高速回転になる程、振動が激しくなって振動音が大くなる。
【０００９】
そのため、この種の光ディスク装置においては、前記の振動を極力抑制することが望まれる。
【００１０】
そこで、クランパ内のスピンドルモータ軸と概略同軸の軸部（中心軸）に、略扇形板状体の２枚のバランサーを互いに独立して回転自在に回転するように取り付け、偏重心ディスクを高速回転させた場合に、両バランサーがディスクの偏重心によって生じる遠心力を打ち消すような位置関係をとることで、偏重心ディスクの振動を抑制することが提案されている（例えば、特許文献１参照。）。
【００１１】
又、クランパー内に複数個の小さなボールを格納し、これらのボールのディスク回転に基づく自由な移動により、偏重心ディスクの振動を抑制することが提案されている（例えば、特許文献２参照。）。
【特許文献１】特開２００１−１７６１５７号公報（要約書、［００１４］−［００２４］、図１、図６等）
【特許文献２】特開２０００−１８９５１号公報（［００１３］−［００１９］、［００３４］−［００４３］、図１、図７等）
【発明の開示】
【発明が解決しようとする課題】
【００１２】
前記特許文献１に記載の従来構成の場合、クランパ内の２枚のバランサーを１つの軸部に回転自在に取り付ける必要がある。
【００１３】
この場合、クランパに収容する部品数が多くなって複雑、高価になると共に、両バランサーに反り等があると、バランサー同士が接触等して故障する虞があり、信頼性が低い問題もある。
【００１４】
次に、前記特許文献２に記載の従来構成の場合、クランパに複数個のボールを収容してこれらのボールを移動自在にするため、特に回転開始時及び回転終了時には各ボールがクランパのケース壁等に接触（衝突）して大きな騒音が発生する問題がある。
【００１５】
しかも、部品点数が多く、複雑かつ高価になると共に、クランパを製造する際にはクランパに収容するボールの個数管理等が必要になって作業性が悪く、クランパ及び光ディスク装置を作業効率よく製造することができない問題もある。
【００１６】
本発明は、部品数が少なく簡素、安価で、故障が少なく信頼性が高く、しかも、大きな騒音が発生することがなく、その上、作業効率よく製造することができる偏重心ディスクの振動抑制構造を組み込んだクランパ及び該クランパを備えた光ディスク装置を提供することを目的とする。
【課題を解決するための手段】
【００１７】
上記した目的を達成するために、本発明のクランパは、スピンドルモータによって回転するターンテーブルの上方に前記ターンテーブルに同軸状に回転自在に支持され、前記ターンテーブルが上動して接近したときに、前記ターンテーブルとの磁気的な引力によって前記ターンテーブル上の光ディスクを挟んだ状態で前記ターンテーブルに密着し、前記光ディスクを前記ターンテーブルに押し付けて固定する光ディスク装置のクランパにおいて、短円筒状のケース体と、該ケース体内の底面中央部に上向きに形成された中心軸と、重心位置からずれた位置に挿通穴が形成され、該挿通孔に前記中心軸が遊挿されて前記ケース体内に収容された１枚のバランサ板と、前記ケース体の上部開口を封塞するケースカバーとを備えたことを特徴としている（請求項１）。
【００１８】
又、請求項１に記載のクランパにおいて、前記ケース体は、前記ターンテーブルの磁性体との間で磁気的な引力が生じる略円板状のクランプ磁石を底部に収容した樹脂体で形成され、前記バランサ板は、非磁性体板であって前記クランプ磁石の上に重なるように収容されたことを特徴としている（請求項２）。
【００１９】
又、請求項１に記載のクランパにおいて、前記ケース体は、前記ターンテーブルの磁性体との間で磁気的な引力が生じる略円板状のクランプ磁石を底部に収容した樹脂体で形成され、前記バランサ板は、下面を前記クランプ磁石と反発する磁極面にした磁石板からなり、前記クランプ磁石の上に重なるように収容されたことを特徴としている（請求項３）。
【００２０】
又、請求項１に記載のクランパにおいて、前記ケース体は、前記ターンテーブルに設けたクランプ磁石との間で磁気的な引力が生じる磁性体で形成され、前記バランサ板は、非磁性体板で形成されることを特徴としている（請求項４）。
【００２１】
次に、本発明の光ディスク装置は、請求項１乃至４のいずれか１項に記載のクランパを備え、前記ケースが装置筐体の天板部に回転自在に係止されることを特徴としている（請求項５）。
【発明の効果】
【００２２】
請求項１のクランパによれば、ターンテーブル上の光ディスクが回転すると、クランパは光ディスクを介してターンテーブルに磁気的に密着しているので、光ディスクと一体に回転し、そのケース体に収容された１枚のバランサ板も回転する。
【００２３】
このとき、バランサ板は挿通穴の位置が重心位置からずれているので、光ディスクが偏重心ディスクであれば、回転しているうちに、偏重心ディスクに対するバランサ板の位置関係がディスクとクランパとの回転体の振動（上下動のうねり）が極力抑えられる位置関係になり、偏重心ディスクの偏心が自動補正される。
【００２４】
そのため、再生時や記録時に高速回転する光ディスクの偏心に起因した振動を抑制することができる。尚、ケースカバーによってケース体が密封状態になるので、バランサ板がケース体から飛び出すことはない。
【００２５】
そして、ケース体内に１枚のバランサ板を収容する構成であるので、部品数が少なく簡素、安価であり、従来の２枚のバランサーを収容する構成で問題となるバランサー同士の接触等による故障はなく、信頼性が高い。その上、従来の複数個のボールを収容する構成で問題となる部品同士の衝突に起因した大きな騒音の発生もない。
【００２６】
したがって、部品数が少なく簡素、安価で、故障が少なく信頼性が高く、しかも、大きな騒音が発生することがなく、その上、部品管理等が容易で作業効率よく製造することができる新規な構成の偏重心ディスクの振動抑制構造を組み込んだクランパを提供することができる。
【００２７】
請求項２のクランパによれば、ターンテーブルが上動して接近したときに、ケース体の底部のクランプ磁石とターンテーブルの磁性体との間で磁気的な引力を発生し、光ディスクをターンテーブルに押し付けて固定することができる。
【００２８】
更に、ケース体内のクランプ磁石の上のバランサ板は、非磁性体板であるため、クランプ磁石の磁力の影響を受けることがなく、請求項１のクランパの効果で説明したようにして高速回転する偏重心ディスクの振動を抑制することができる。
【００２９】
そのため、ケース体にクランプ磁石と非磁性体のバランサ板とを収容した実用的な構成で請求項１の発明と同様の効果を奏する。
【００３０】
請求項３のクランパによれば、ターンテーブルが上動して接近したときに、ケース体の底部のクランプ磁石とターンテーブルの磁性体との間で磁気的な引力を発生し、光ディスクをターンテーブルに押し付けて固定することができる。
【００３１】
更に、ケース体内のバランサ板は、クランプ磁石と反発する磁極の向きにクランプ磁石の上に設けられるため、請求項２の非磁性体板である場合と同様、クランプ磁石の磁力の影響を受けることがない。しかも、バランサ板の回転音も極めて小さくなる。
【００３２】
そのため、ケース体にクランプ磁石と磁性体のバランサ板とを収容した静粛性の高い構成で請求項１の発明と同様の効果を奏する。
【００３３】
請求項４のクランパによれば、ケース体が磁性体で形成され、ターンテーブルが上動して接近したときに、ターンテーブルのクランプ磁石とケース体の磁性体との間で磁気的な引力を発生し、光ディスクをターンテーブルに押し付けて固定することができる。
【００３４】
更に、ケース体内のバランサ板は、非磁性体板であるため、ケース体の磁性体を通したクランプ磁石の磁力の影響を受けることがない。
【００３５】
そのため、ケース体に非磁性体のバランサ板のみを収容した構成で請求項１の発明と同様の効果を奏する。
【００３６】
次に、請求項５の光ディスク装置は、請求項１乃至４のいずれか１項に記載のクランパを備えたため、部品数が少なく簡素、安価で、故障が少なく信頼性が高く、しかも、大きな騒音が発生することがなく、その上、作業効率よく製造することができるクランパにより、ターンテーブル上の偏重心ディスクの振動を効果的に抑制することができる。
【発明を実施するための最良の形態】
【００３７】
つぎに、本発明をより詳細に説明するため、その実施形態について、図１〜図１５にしたがって詳述する。
【００３８】
（第１の実施形態）
第１の実施形態について、図１〜図８を参照して説明する。
【００３９】
図１はクランパ１Ａを収容した光ディスク装置２を示し、図２（ａ）、（ｂ）はクランパ１Ａの拡大した平面図、断面図を示す。
【００４０】
図３（ａ）、（ｂ）はクランパ１Ａのケース体１１Ａの平面図、断面図であり、図４（ａ）、（ｂ）はクランパ１Ａのケースカバー１２の平面図、断面図であり、図５（ａ）、（ｂ）はクランパ１Ａのバランサ板１３の平面図、断面図であり、図６（ａ）、（ｂ）はクランパ１Ａのクランプ磁石１４の平面図、断面図である。
【００４１】
図７は光ディスク装置２内のスピンドルモータ３に軸着されたターンテーブル４の側面図、図８は光ディスク５を再生又は記録する際のクランパ１Ａとターンテーブル４との磁気的な密着状態の説明図である。
【００４２】
図１の光ディスク装置２は、例えばＤＶＤプレーヤ又はＤＶＤレコーダのユニット装置であり、いわゆる化粧キャビネット（図示せず）に単体で或いはテレビ受信装置等の他の装置のユニットと共に収容して用いられる。
【００４３】
そして、光ディスク装置２の外装筐体は、上面が開放した合成樹脂の本体フレーム２ａと、その上面を覆う金属の薄い天板プレート２ｂとからなる。
【００４４】
尚、本体フレーム２ａは合成樹脂により形成され、前面側に、光ディスク５の搬入、搬出の際に前後方向に直線往復運動可能な合成樹脂製のトレイ２ｃが出入りするトレイ開口２ｄが形成されている。
【００４５】
更に、本体フレーム２ａの内部には、周知のＤＶＤプレーヤ、ＤＶＤレコーダと同様に、前記トレイ２ｃの直線往復運動に連動して本体フレーム２ａの幅方向に摺動するラックローディング（図示せず）、該ラックローディングの摺動動作に連動するシャーシ（図示せず）が設けられる。
【００４６】
前記シャーシには、トレイ２ｃによって搬入された光ディスク５が載置されるターンテーブル４及び、ターンテーブル４上の光ディスク５の記録面（下面）に再生、記録のレーザー光を照射するピックアップユニット（図示せず）等が設けられる。
【００４７】
そして、ターンテーブル４はスピンドルモータ３によって高速回転し、光ディスク５はセンタ穴をターンテーブル４の中央の平面視円形の凸状段部４ａが貫通して位置決めさた状態で回転する。尚、凸状段部４ａは例えばベースの合成樹脂体の表面に鉄板等の適当な厚みの磁性体を取り付けて形成されている。
【００４８】
次に、本体フレーム２ａの上面を覆う天板プレート２ｂは、ターンテーブル４の上方位置の部分が凹状に加工され、その凹状部分の中央にクランパ１Ａの取り付け開２ｅが形成されている。一方、クランパ１Ａのケース体１１Ａは合成樹脂体であり、その上縁の複数個所（例えば３個所）に例えばフック状の係止片１１Ａａが外周方向に突出して形成されている。
【００４９】
そして、各係止片１１Ａａが天板プレート２ｂの開口周縁上面に引っ掛けるように係止されることにより、クランパ１Ａは上下動可能、かつ、回転自在に、天板プレート２ｂに係止されて光ディスク装置２内のターンテーブル４の上方に位置する。更に、光ディスク５の再生又は記録を行なうため、前記シャーシの移動に基づきターンテーブル４が上動してクランパ１Ａに接近し、後述の磁気的な引力により、クランパ１Ａが光ディスク５を介してターンテーブル４に密着して回転するときは、図８からも明らかなように、スピンドルモータ３の上下方向のモータ軸の軸線上にターンテーブル４の回転中心、クランパ１Ａの回転中心が位置する。
【００５０】
次に、クランパ１Ａの構成を説明する。本実施形態のクランパ１Ａは、図２、図３に示すように、合成樹脂体の有底短円筒状のケース体１１Ａを備え、ケース体１１Ａは上面が平坦な底面部１１Ａｂに、それより若干小径の短円筒状の周面部１１Ａｃを植設した外形状であり、周面部１１Ａｃの上縁に各係止片１１Ａａが形成されている。
【００５１】
底面部１１Ａｂは下面（裏面）側中央部にターンテーブル４の凸状段部４ａと嵌合する凹状段部１１Ａｄが形成され、上面（表面）側中央部には上向きの中心軸１１Ａｅが略周面部１１Ａｃと同じ高さに形成される。
【００５２】
次に、ケース体１１Ａ内においては、図６に示す円板状の永久磁石からなるクランプ磁石１４、図５に示す略平面視円形のバランサ板１３Ａが層状に収容される。
【００５３】
そして、クランプ磁石１４は中央部に略中心軸１１Ａｅの内径の挿通孔１４ａが形成され、この挿通孔１４ａを中心軸１１Ａｅが嵌入状態で相通し、ケース対１１内の底部に収容される。このクランプ磁石１４は、光ディスク５の再生、記録の際、ターンテーブル４の凸状段部４ａの磁性体との間で磁気的な引力を発生して密着し、光ディスク５をターンテーブル４に押し付けて固定する。
【００５４】
又、バランサ板１３Ａはこの実施形態においては、中心点に重心が一致したステンレス板等の非磁性体の円板１３Ａａに、その重心からずれた位置を開穴中心とし、かつ、直径が中心軸１１の直径より十分に大きい挿通穴１３Ａｂを形成したＯリング状（又は環状）であり、挿通穴１３Ａｂに中心軸１１Ａｅが遊挿されてクランプ磁石１４の上に回転自在に位置する。尚、挿通穴１３Ａｂは、その開穴中心が回転中心に一致するときにバランサ板１３Ａの中心点を含む大きさである。
【００５５】
そして、バランサ板１３Ａは非磁性体であるのでクランプ磁石１４の影響を受けることがなく、ターンテーブル４上の光ディスク５が回転すると、クランパ１Ａが光ディスク５を介してターンテーブル４に磁気的に密着しているので、ケース体１１Ａに収容されたバランサ板１３Ａも回転する。
【００５６】
このとき、バランサ板１３Ａは挿通穴１３Ａｂの位置が重心位置からずれているので、光ディスク５が偏重心ディスクであれば、回転しているうちに、偏重心ディスクに対するバランサ板１３Ａの位置関係が、ディスク５とクランパ１Ａとの回転体の振動（上下動のうねり）が極力抑えられる位置関係になり、偏重心ディスクの偏心がバランサ板１３Ａで打ち消されて自動補正される。
【００５７】
尚、クランプ磁石１４、バランサ板１３Ａを収容したケース体１１Ａは、図４のケースカバー１２が内側に嵌入して密封状態になり、回転中にバランサ板１３Ａがケース体１１Ａから飛び出したりすことはない。
【００５８】
そして、ケース体１１Ａ内に１枚のバランサ板１３Ａを収容する構成であるので、部品数が少なく簡素、安価で小型（薄型）であり、従来の２枚のバランサーを収容する構成で問題となるバランサー同士の接触等による故障はなく、信頼性が高い。その上、従来の複数個のボールを収容する構成で問題となる部品同士の衝突に起因した大きな騒音の発生もない。
【００５９】
したがって、部品数が少なく簡素、安価で、故障が少なく信頼性が高く、しかも、大きな騒音が発生することがなく、その上、部品管理等が容易で作業効率よく製造することができる新規な構成の偏重心ディスクの振動抑制構造を組み込んだクランパ１Ａを提供することができ、更に、このクランパ１Ａを備えてターンテーブル４上の偏重心ディスクの振動を効果的に抑制することができる光ディスク装置２を形成することができる。
【００６０】
（第２の実施形態）
第２の実施形態について、図９及び図１０を参照して説明する。
【００６１】
図９（ａ）、（ｂ）は図２（ａ）、（ｂ）に対応するクランパ１Ｂの拡大した平面図、断面図であり、図１０は図８に対応するクランパ１Ｂとターンテーブル４との磁気的な密着状態の説明図である。
【００６２】
そして、本実施形態のクランパ１Ｂは、前記第１の実施形態のクランパ１Ａの非磁性体のバランサ板１３Ａに代えて、下面をクランプ磁石１４と反発する磁極面にした磁石板のバランサ板１３Ｂを、ケース体１１Ａに収容して形成される。
【００６３】
具体的には、クランプ磁石１４の上面がＳ極であれば、バランサ板１３Ｂは、下面がクランプ磁石１４の上面と同じＳ極であって、円板１３Ｂａの重心位置からずれた位置に挿通穴１３Ｂｂが形成されたバランサ板１３Ａと同形状の永久磁石板からなる。
【００６４】
そして、ケースカバー１２によって密封されたケース体１１Ａ内において、バランサ板１３Ｂはその下のクランプ磁石１４と反発してケース体１１Ａ内に浮いた状態になる。
【００６５】
この状態でターンテーブル４上の光ディスク５が回転し、光ディスク５を介してターンテーブル４に磁気的に密着したクランパ１Ｂが回転すると、バランサ板１３Ｂはクランプ磁石１４に引き寄せられたりすることなく、非磁性体板であるバランサ板１３Ａの場合と同様、クランプ磁石１４の磁力の影響を受けることなく回転し、バランサ板１３Ａと同様にして偏重心ディスクの偏心を打ち消して自動補正する。
【００６６】
この場合、バランサ板１３Ｂは浮いているので，バランサ板１３Ｂの回転音も極めて小さくなる利点もある。
【００６７】
（第３の実施形態）
第３の実施形態について、図１１及び図１２を参照して説明する。
【００６８】
図１１（ａ）、（ｂ）は図２（ａ）、（ｂ）及び図９（ａ）、（ｂ）に対応するクランパ１Ｃの拡大した平面図、断面図であり、図１２は図８及び図１０に対応するクランパ１Ｃとターンテーブル４との磁気的な密着状態の説明図である。
【００６９】
そして、本実施形態のクランパ１Ｃは、合成樹脂のケース体１１Ａに代えて鋼板等の磁性体又は磁性体を含有した合成樹脂で形成されたケース体１１Ｂを備え、ケース体１１Ｂは非磁性体のバランサ板１３Ａのみを収容する。
【００７０】
一方、ターンテーブル４は磁性体の凸状段部４ａに代えてクランプ磁石を形成する永久磁石体の凸状段部４ｂを備える。
【００７１】
そして、光ディスク５の再生、記録の際は、ケース体１１Ｂとターンテーブル４の磁石体との磁気的引力により、光ディスク５を介してターンテーブル４にクランパ１Ｃが密着して回転する。
【００７２】
この回転に基づき、バランサ板１３Ａにより第１の実施形態で説明したようにして光ディスク５の偏重心が自動的に補正される。
【００７３】
そして、本実施形態の場合、ケース体１１Ｂ内のバランサ板１３Ａは、非磁性体板であるため、ケース体１１Ｂの磁性体を通した凸状段部４ｂ（クランプ磁石）の磁力の影響を受けることがない。
【００７４】
そのため、ケース体１１Ｂに非磁性体のバランサ板１３Ａのみを収容した一層簡単で小型の構成により、第１、第２の実施形態と同様の効果を奏する。
【００７５】
尚、図１２のケース体１１Ｂにおいて、１１Ｂａは３個の係止片、１１Ｂｂは底面部、１１Ｂｃは周面部、１１Ｂｄは凹状段部、１１Ｂｅは中心軸である。
【００７６】
（第４の実施形態）
第４の実施形態について、図１３及び図１４を参照して説明する。
【００７７】
図１３（ａ）、（ｂ）は図２（ａ）、（ｂ）、図９（ａ）、（ｂ）、図１１（ａ）、（ｂ）に対応するクランパ１Ｄの拡大した平面図、断面図であり、図１４（ａ）、（ｂ）ははそのバランサ板１３Ｃの平面図、断面図である。
【００７８】
そして、本実施形態のクランパ１Ｄは、第３の実施形態のバランサ板１３Ａをステンレス等の非磁性体のバランサ板１３Ｃに代えたものである。
【００７９】
バランサ板１３Ｃは、楕円形又はひょうたん型又は扇形等の非円形板１３Ｃａの重心からずれた端部（又は要の部分）の位置に、中心軸１１の直径より若干径大の挿通穴１３Ｃｂを形成し、挿通穴１３Ｃｂにケース体１１Ｂの中心軸１１Ｂｅを挿通してケース体１１Ｂ内に収容される。
【００８０】
そして、偏重心ディスクの再生、記録の際は、ケース体１１Ｂとターンテーブル４の磁石体との磁気的引力により、ディスクを介してターンテーブル４にクランパ１Ｄが密着して回転する。
【００８１】
このとき、ケース体１１Ｂ内のバランサ板１３Ｃも、回転しているうちに、偏重心ディスクに対するバランサ板１３Ｃの位置関係がディスクとクランパ１Ｄとの回転体の振動（上下動のうねり）が極力抑えられる位置関係になり、偏重心ディスクの偏心がバランサ板１３Ｃで打ち消されて自動補正される。
【００８２】
したがって、第３の実施形態の場合と同様の効果を奏する。
【００８３】
（第５の実施形態）
第５の実施形態について、図１５を参照して説明する。
【００８４】
図１５（ａ）、（ｂ）は図２（ａ）、（ｂ）、図９（ａ）、（ｂ）、図１１（ａ）、（ｂ）、図１３（ａ）、（ｂ）に対応するクランパ１Ｅの拡大した平面図、断面図である。
【００８５】
本実施形態のクランパ１Ｅは第２の実施形態のクランパ１Ｂのバランサ板１３Ｂを、第４の実施形態のバランサ板１３Ｃと同形状の磁石板のバランサ板１３Ｄに代えた構成である。
【００８６】
そして、バランサ板１３Ｄは下面をクランプ磁石１４と反発する磁極面にしてケース体１１Ａに収容され、ケース体１１Ａ内に浮いた状態に保持される。尚、１３Ｄｂが挿通穴である。
【００８７】
したがって、第２の実施形態の場合と同様の効果を奏する。
【００８８】
そして、本発明は上述した各実施形態に限定されるものではなく、その趣旨を逸脱しない範囲において上述したもの以外に種々の変更を行うことが可能であり、バランサ板の形状や大きさはどのようであってもよい。又、クランパの各部の寸法や形状については設計条件等に応じて設定すればよい。
【００８９】
そして、本発明は、種々の光ディスク装置のクランパに適用することができる。
【図面の簡単な説明】
【００９０】
【図１】本発明の第１の実施形態におけるクランパを収容した光ディスク装置の外観形状を示す斜視図である。
【図２】同上、クランパを示し、（ａ）は平面図、（ｂ）は断面図である。
【図３】同上、クランパのケース体を示し、（ａ）は平面図、（ｂ）は断面図である。
【図４】同上、クランパのケースカバーを示し、（ａ）は平面図、（ｂ）は断面図である。
【図５】同上、クランパに収容されるバランサ板を示し、（ａ）は平面図、（ｂ）は断面図である。
【図６】同上、クランパに収容されるクランプ磁石を示し、（ａ）は平面図、（ｂ）は断面図である。
【図７】同上、光ディスク装置内のスピンドルモータに軸着されたターンテーブルの側面図である。
【図８】同上、光ディスクを再生又は記録する際のクランパとターンテーブルとの磁気的な密着状態の説明図である。
【図９】本発明の第２の実施形態におけるクランパを示し、（ａ）は平面図、（ｂ）は断面図である。
【図１０】同上、クランパとターンテーブルとの磁気的な密着状態の説明図である。
【図１１】本発明の第３の実施形態におけるクランパを示し、（ａ）は平面図、（ｂ）は断面図である。
【図１２】同上、クランパとターンテーブルとの磁気的な密着状態の説明図である。
【図１３】本発明の第４の実施形態におけるクランパを示し、（ａ）は平面図、（ｂ）は断面図である。
【図１４】同上、クランパに収容されるバランサ板を示し、（ａ）は平面図、（ｂ）は断面図である。
【図１５】本発明の第５の実施形態におけるクランパを示し、（ａ）は平面図、（ｂ）は断面図である。
【符号の説明】
【００９１】
１Ａ、１Ｂ、１Ｃ、１Ｄ、１Ｅ    クランパ
１１Ａ、１１Ｂ    ケース体
１１Ａｅ、１１Ｂｅ    中心軸
１２    ケースカバー
１３Ａ、１３Ｂ、１３Ｃ、１３Ｄ、    バランサ板
１３Ａｂ、１３Ｂｂ、１３Ｃｂ、１３Ｄｂ    挿通穴
１４    クランプ磁石
３    スピンドルモータ
４    ターンテーブル
５    光ディスク
【図１】
2008084435.tif 000003
【図２】
2008084435.tif 000004
【図３】
2008084435.tif 000005
【図４】
2008084435.tif 000006
【図５】
2008084435.tif 000007
【図６】
2008084435.tif 000008
【図７】
2008084435.tif 000009
【図８】
2008084435.tif 000010
【図９】
2008084435.tif 000011
【図１０】
2008084435.tif 000012
【図１１】
2008084435.tif 000013
【図１２】
2008084435.tif 000014
【図１３】
2008084435.tif 000015
【図１４】
2008084435.tif 000016
【図１５】
2008084435.tif 000017